(57)【要約】【課題】高速に映像データをバックアップできるバックアップ装置、バックアップ方法及びバックアッププログラムを提供すること。【解決手段】バックアップ装置１は、メモリパック２から、フレーム又はシーン毎に記録された収録データを順次読み込む読み込み部１１と、読み込み部１１により読み込まれた収録データを結合した仮想ファイル、及び当該仮想ファイルとして結合された収録データのサイズ情報を含むメタデータファイルを、ＳＳＤ３へ書き込む書き込み部１２と、を備える。【選択図】図１
2017174479.tif 000002
【特許請求の範囲】
【請求項１】
第１の記憶媒体から、フレーム又はシーン毎に記録された収録データを順次読み込む読み込み部と、
前記読み込み部により読み込まれた収録データを結合した仮想ファイル、及び当該仮想ファイルとして結合された収録データのサイズ情報を含むメタデータファイルを、第２の記憶媒体へ書き込む書き込み部と、を備えるバックアップ装置。
【請求項２】
前記書き込み部は、前記収録データに含まれるシーン情報に基づいて、前記仮想ファイルにおけるシーン分割位置を示すデータを前記メタデータファイルに書き込む請求項１に記載のバックアップ装置。
【請求項３】
前記書き込み部は、前記仮想ファイルが所定の許容サイズを超えない範囲で前記収録データを結合し、前記許容サイズを超える場合に複数のファイルに分割する請求項１又は請求項２に記載のバックアップ装置。
【請求項４】
請求項１から請求項３のいずれかに記載のバックアップ装置により生成された前記仮想ファイルから、前記収録データのサイズ情報に基づいて当該収録データを復元する復元装置。
【請求項５】
第１の記憶媒体から、フレーム又はシーン毎に記録された収録データを順次読み込む読み込みステップと、
前記読み込みステップにおいて読み込まれた収録データを結合した仮想ファイル、及び当該仮想ファイルとして結合された収録データのサイズ情報を含むメタデータファイルを、第２の記憶媒体へ書き込む書き込みステップと、をコンピュータが実行するバックアップ方法。
【請求項６】
第１の記憶媒体から、フレーム又はシーン毎に記録された収録データを順次読み込む読み込みステップと、
前記読み込みステップにおいて読み込まれた収録データを結合した仮想ファイル、及び当該仮想ファイルとして結合された収録データのサイズ情報を含むメタデータファイルを、第２の記憶媒体へ書き込む書き込みステップと、をコンピュータに実行させるためのバックアッププログラム。
【発明の詳細な説明】
【技術分野】
【０００１】
本発明は、映像データをバックアップする装置、方法及びプログラムに関する。
【背景技術】
【０００２】
従来、映像を撮影する業務用のカメラは、撮影した映像を、静止画用の符号化方式によりフレーム毎に、又は動画用の符号化方式によりシーン毎に符号化し、メモリパック（固体メモリ）に記録している（例えば、特許文献１参照）。これらの静止画又は動画の記録データは、個別のファイルとして固体メモリからＰＣ（Ｐｅｒｓｏｎａｌ  Ｃｏｍｐｕｔｅｒ）のＳＳＤ（Ｓｏｌｉｄ  Ｓｔａｔｅ  Ｄｒｉｖｅ）又はＨＤＤ（Ｈａｒｄ  Ｄｉｓｋ  Ｄｒｉｖｅ）などへコピーされ、固体メモリは再利用される。
【先行技術文献】
【特許文献】
【０００３】
【特許文献１】特開２０１３−９３６６８号公報
【発明の概要】
【発明が解決しようとする課題】
【０００４】
しかしながら、静止画の連番ファイル又はシーン毎の動画ファイルとして、多数のファイルで映像データが記録された場合、この映像データをさらに磁気テープなど他のメディアへバックアップする際に、ファイルのオープン及びクローズに伴う入出力が増大する。
したがって、バックアップ先のメディアの持つ記録速度に比べて非常に低い転送速度になっていた。
【０００５】
本発明は、高速に映像データをバックアップできるバックアップ装置、バックアップ方法及びバックアッププログラムを提供することを目的とする。
【課題を解決するための手段】
【０００６】
本発明に係るバックアップ装置は、第１の記憶媒体から、フレーム又はシーン毎に記録された収録データを順次読み込む読み込み部と、前記読み込み部により読み込まれた収録データを結合した仮想ファイル、及び当該仮想ファイルとして結合された収録データのサイズ情報を含むメタデータファイルを、第２の記憶媒体へ書き込む書き込み部と、を備える。
【０００７】
前記書き込み部は、前記収録データに含まれるシーン情報に基づいて、前記仮想ファイルにおけるシーン分割位置を示すデータを前記メタデータファイルに書き込んでもよい。
【０００８】
前記書き込み部は、前記仮想ファイルが所定の許容サイズを超えない範囲で前記収録データを結合し、前記許容サイズを超える場合に複数のファイルに分割してもよい。
【０００９】
本発明に係る復元装置は、前記バックアップ装置により生成された前記仮想ファイルから、前記収録データのサイズ情報に基づいて当該収録データを復元する。
【００１０】
本発明に係るバックアップ方法は、第１の記憶媒体から、フレーム又はシーン毎に記録された収録データを順次読み込む読み込みステップと、前記読み込みステップにおいて読み込まれた収録データを結合した仮想ファイル、及び当該仮想ファイルとして結合された収録データのサイズ情報を含むメタデータファイルを、第２の記憶媒体へ書き込む書き込みステップと、をコンピュータが実行する。
【００１１】
本発明に係るバックアッププログラムは、第１の記憶媒体から、フレーム又はシーン毎に記録された収録データを順次読み込む読み込みステップと、前記読み込みステップにおいて読み込まれた収録データを結合した仮想ファイル、及び当該仮想ファイルとして結合された収録データのサイズ情報を含むメタデータファイルを、第２の記憶媒体へ書き込む書き込みステップと、をコンピュータに実行させる。
【発明の効果】
【００１２】
本発明によれば、高速に映像データをバックアップできる。
【図面の簡単な説明】
【００１３】
【図１】実施形態に係るバックアップ装置の機能構成を示す図である。
【図２】実施形態に係る収録データの記録フォーマット構成を示す図である。
【図３】実施形態に係るバックアップファイルの構造を示す模式図である。
【図４】実施形態に係るコピー処理の手順を示す図である。
【図５】実施形態に係る収録データが提示される様子を示す図である。
【発明を実施するための形態】
【００１４】
以下、本発明の実施形態の一例について説明する。
図１は、本実施形態に係るバックアップ装置１の機能構成を示す図である。
バックアップ装置１は、記憶部及び制御部の他、通信部及び入出力デバイスなどの各種インタフェースを備えたサーバ装置又はＰＣ（Ｐｅｒｓｏｎａｌ  Ｃｏｍｐｕｔｅｒ）などの情報処理装置（コンピュータ）である。
【００１５】
バックアップ装置１は、業務用カメラによって記録された映像及び音声を含む収録データを、メモリパック２（第１の記憶媒体）からメモリパックインタフェース（Ｉ／Ｆ）２０を介して取得し、ＬＴＯドライブ４にバックアップする。このとき、バックアップ装置１は、取得したデータを一旦ＳＳＤ３（第２の記憶媒体）に所定の形式で記録した後、ＬＴＯドライブ４へ転送する。
【００１６】
ここで、ＳＳＤ３及びＬＴＯドライブ４は、記憶媒体の一例であり、例えばＨＤＤなど他の媒体であってもよい。また、これらの記憶媒体は、ＲＡＩＤ構成（例えば、ＲＡＩＤ０又はＲＡＩＤ５）により高速化されてもよい。
また、本実施形態では、ＳＳＤ３及びＬＴＯドライブ４は、バックアップ装置１と接続される外付けのデバイスとして例示したが、これには限られない。バックアップ装置１は、ＳＳＤ３及びＬＴＯドライブ４の一方又は両方を内蔵していてもよい。
【００１７】
バックアップ装置１の制御部は、読み込み部１１と、書き込み部１２と、コピー処理部１３と、復元部１４とを備える。これらの機能部は、記憶部に記憶された所定のソフトウェア（バックアッププログラム）を制御部が実行することにより実現される。
【００１８】
読み込み部１１は、メモリパック２（第１の記憶媒体）から、メモリパックＩ／Ｆ２０を介して、フレーム又はシーン毎に記録された収録データを順次読み込む。
【００１９】
図２は、本実施形態に係るメモリパック２に記録される収録データの記録フォーマット構成を示す図である。
収録データは、映像、音声、並びにプロキシ映像及びタイムコードなどの管理データ（メタデータ）を含んで構成される。これらの収録データは、例えば１フレーム毎に映像、音声、プロキシ／メタデータの順に、それぞれ予め設定された固定長で記録される。
【００２０】
ここで、従来のバックアップ方式によれば、通常、収録データは、記録フォーマットのまま順に読み込まれ、バックアップ先のファイルシステムにおいて総記録フレーム数の３倍の数のファイルが生成される。
例えば、映像はフレーム毎に「ｐｉｃｔｕｒｅ−００１．ｊｐｇ」のようにファイルが生成され、これに対応して、音声は「ａｕｄｉｏ−００１．ｗａｖ」、プロキシ／メタデータは「ｐｒｘｍｅｔ−００１．ｄａｔ」のようにファイルが生成されていた。
【００２１】
書き込み部１２は、このような従来の方式と異なり、読み込み部１１により読み込まれた収録データを結合した仮想ファイルを、ＳＳＤ３（第２の記憶媒体）へ書き込む。
また、書き込み部１２は、仮想ファイルとして結合された収録データのサイズ情報を含むメタデータファイルを、仮想ファイルと対応付けてＳＳＤ３へ書き込む。
【００２２】
図３は、本実施形態に係るバックアップファイルの構造を示す模式図である。
書き込み部１２は、フレーム毎に作成される映像、音声及びプロキシ／メタデータを、読み込んだ形式のまま１個の仮想ファイルとして結合し、バックアップファイルを生成する。
【００２３】
バックアップファイル（ｂａｃｋｕｐ−００１．ｄａｔ）には、メモリパック２と同様に、映像データ（例えば、ｐｉｃｔｕｒｅ−００１）、音声データ（例えば、ａｕｄｉｏ−００１）、及びプロキシ／メタデータ（例えば、ｐｒｘｍｅｔ−００１）が連続してフレーム毎に記述されている。
【００２４】
これらの構成データのサイズ及び数などの管理データは、メタデータファイル（ｂａｃｋｕｐ−００１．ｍｅｔ）として、バックアップファイルとセットでＳＳＤ３に記憶される。
【００２５】
また、書き込み部１２は、収録データに含まれるシーン情報に基づいて、バックアップファイル（仮想ファイル）におけるシーン分割位置を示すデータをメタデータファイルに書き込んでもよい。
【００２６】
さらに、書き込み部１２は、バックアップファイル（仮想ファイル）が所定の許容サイズを超えない範囲で収録データを結合し、許容サイズを超える場合に複数のバックアップファイルに分割する。
ここで、所定の許容サイズとは、例えば、ＳＳＤ３のファイルシステムで許容されている最大サイズ、又はＬＴＯドライブ４で用いられる記録メディアのデータ容量などである。
【００２７】
コピー処理部１３は、ＳＳＤ３からバックアップファイルを読みだし、ＬＴＯドライブ４へコピーする。
ＬＴＯドライブ４は、複数設けられ、複数のメディアに順次又は並列にコピーされてもよい。
【００２８】
図４は、本実施形態に係るバックアップファイルのコピー処理の手順を示す図である。
ＳＳＤ３に記録されたファイルは、１個ずつシーケンシャルにオープン、読出し、転送、クローズの順で処理され、ファイルの数だけ一連の処理が繰り返される。
【００２９】
このとき、１つのファイルの処理時間Ｔは、各ステップ（オープン、読出し、転送、クローズ）それぞれの処理時間Ｔｏｐ、Ｔｒｄ、Ｔｓｄ、Ｔｃｌの合計となるが、ファイルの数が多くなるほど、オープン、クローズに伴うオーバーヘッドが大きくなる。
したがって、従来のようにフレーム又は短いシーン毎に比較的小さなファイルが多数記録される場合、これら全ファイルをコピーする際の処理速度が低下してしまう。この結果、記録メディアの記録性能が十分に生かされず、高速処理が難しかった。
【００３０】
これに対して、本実施形態では、バックアップファイルの数が１つ又は数個に削減されるので、ファイルのオープン、クローズに伴うオーバーヘッドの影響が削減される。したがって、バックアップ装置１は、ＳＳＤ３からのデータコピーを、バックアップ先の記録メディア（ＬＴＯドライブ４）の書き込み速度程度まで高速化できる。
【００３１】
復元部１４は、メタデータファイル内に記述された収録データのサイズ情報に基づいて、書き込み部１２により生成、又はコピー処理部１３によりコピーされたバックアップデータから、収録データのファイル構造を再構築して復元する。
【００３２】
図５は、本実施形態に係る復元部１４により復元された収録データが提示される様子を示す図である。
仮想ファイルビューワ（復元部１４）は、ＳＳＤ３に格納された１又は複数のバックアップファイルを判別し、ウィンドウＷ１にフォルダとして表示する。
【００３３】
ウィンドウＷ１に表示されたバックアップファイルのいずれかが選択（例えば、ダブルクリック）されると、仮想ファイルビューワは、選択されたバックアップファイルに対応したメタデータファイルを参照する。そして、仮想ファイルビューワは、メタデータファイルに記述されたシーン分割位置を示すデータに基づいて、ウィンドウＷ２に、シーン毎のフォルダ（例えば、Ｓｅｑｕｅｎｃｅ−００１）を表示する。
【００３４】
ウィンドウＷ２に表示されたシーンのいずれかが選択されると、仮想ファイルビューワは、メタデータファイルに記述された又は既定の構成情報に基づいて、ウィンドウＷ３に、映像（ｐｉｃｔｕｒｅ）、音声（ａｕｄｉｏ）及びプロキシ／メタデータ（ｐｒｘｍｅｔ）それぞれのフォルダを表示する。
【００３５】
ウィンドウＷ３に表示されたフォルダのいずれかが選択されると、仮想ファイルビューワは、メタデータファイルに記述された収録データのサイズ情報などに基づいて、フレーム毎のファイル構成を再構築してウィンドウＷ４及びＷ５に表示する。
【００３６】
ここで、例えばウィンドウＷ４から、選択したファイルを取り出し（例えば、編集用アプリケーションＡにドラッグ）すると、仮想ファイルビューワは、映像データの実ファイル（例えば、ｐｉｃｔｕｒｅ−０００００００１．ｊｐｇ）を生成する。
生成された実ファイルは、従来と同様に、編集機などで利用される。さらに、この編集機などで編集されたファイルは、仮想ファイルビューワにドラッグすることで、仮想ファイルに組み込まれる。
【００３７】
本実施形態によれば、バックアップ装置１は、メモリパック２内のデータフォーマットを保って、収録データが結合された状態で仮想ファイルとしてバックアップする。したがって、バックアップ装置１は、記録されるファイルの数を削減できるので、ファイルのオープン及びクローズに掛かる処理時間を削減し、ＳＳＤ３からＬＴＯドライブ４へ高速に映像データをバックアップできる。
また、メモリパック２からＳＳＤ３への書き込み処理についても、処理対象ファイル数が削減されることにより時間短縮が期待できる。
【００３８】
この結果、バックアップ後のメモリパック２を初期化して、早期に新たな映像を記録することが可能となり、番組制作において非常に有用である。
また、バックアップ装置１は、メモリパック２のデータフォーマットを保持してバックアップファイルを作成するので、再生時にメモリパック２への書き戻しが容易となる。
【００３９】
また、バックアップ装置１は、収録データのサイズ情報を含むメタデータファイルをバックアップファイルと対応付けて記録するので、バックアップファイル内の収録データの境界が容易に判別でき、分離が容易となる。
さらに、バックアップ装置１は、メモリパック２に記録される際の映像、音声及びプロキシ／メタデータのデータ長が設定変更された場合にも、メタデータファイルを参照することで動的に対応できるので、汎用性が向上する。
【００４０】
また、バックアップ装置１は、映像のシーン情報をメタデータファイルに書き込んでおくことにより、シーンの分割位置を容易に把握でき、バックアップファイルからのデータ抽出時の利便性を向上できる。
【００４１】
また、バックアップ装置１は、ファイルシステムにおける許容サイズ、又はメディアの容量に基づいて、最大サイズのバックアップファイルを生成するので、生成されるファイルの数を最低限に抑えることができる。これにより、バックアップ装置１は、ファイルのオープン及びクローズに伴うオーバーヘッドを削減できる。
【００４２】
また、バックアップ装置１は、既定のファイル構成情報、又はメタデータファイルに記述されたファイル構成情報に基づいて、バックアップファイルからフレーム又はシーン毎の個々の収録データを取り出すことができる。したがって、バックアップ装置１は、編集の利便性を確保した上で、バックアップ処理を高速化できる。
【００４３】
以上、本発明の実施形態について説明したが、本発明は前述した実施形態に限るものではない。また、本実施形態に記載された効果は、本発明から生じる最も好適な効果を列挙したに過ぎず、本発明による効果は、本実施形態に記載されたものに限定されるものではない。
【００４４】
本実施形態では、バックアップ装置１の機能部として復元部１４を設けたが、復元部１４は、別の装置が備えてもよい。すなわち、編集装置（復元装置）としてのＰＣ又はサーバなどの情報処理装置が復元部１４の機能を備えることにより、ＳＳＤ３にアクセスしてバックアップファイル及びメタデータファイルを取得し、フレーム又はシーン毎の収録データファイルを再構成してもよい。
【００４５】
さらに、バックアップ装置の機能を実現するためのプログラムをコンピュータで読み取り可能な記録媒体に記録して、この記録媒体に記録されたプログラムをコンピュータシステムに読み込ませ、実行することによって実現してもよい。
【００４６】
ここでいう「コンピュータシステム」とは、ＯＳや周辺機器などのハードウェアを含むものとする。また、「コンピュータで読み取り可能な記録媒体」とは、フレキシブルディスク、光磁気ディスク、ＲＯＭ、ＣＤ−ＲＯＭなどの可搬媒体、コンピュータシステムに内蔵されるハードディスクなどの記憶装置のことをいう。
【００４７】
さらに「コンピュータで読み取り可能な記録媒体」とは、インターネットなどのネットワークや電話回線などの通信回線を介してプログラムを送信する場合の通信線のように、短時刻の間、動的にプログラムを保持するもの、その場合のサーバやクライアントとなるコンピュータシステム内部の揮発性メモリのように、一定時刻プログラムを保持しているものも含んでもよい。また、上記プログラムは、前述した機能の一部を実現するためのものであってもよく、さらに前述した機能をコンピュータシステムにすでに記録されているプログラムとの組み合わせで実現できるものであってもよい。
【符号の説明】
【００４８】
１  バックアップ装置（復元装置）
２  メモリパック（第１の記憶媒体）
３  ＳＳＤ（第２の記憶媒体）
４  ＬＴＯドライブ
１１  読み込み部
１２  書き込み部
１３  コピー処理部
１４  復元部
【図１】
2017174479.tif 000003
【図２】
2017174479.tif 000004
【図３】
2017174479.tif 000005
【図４】
2017174479.tif 000006
【図５】
2017174479.tif 000007